(57)【要約】      （修正有）【課題】構造が簡単な手工具又は動力工具の伝動軸を提供する。【解決手段】固定端１２１と結合端１２２を有し、結合端の付近の外側に駆動部１２４が設けられると共に、内部中央に固定部材を有する取付溝１２５が形成された手工具又は動力工具の伝動軸１２。【選択図】図１
0003109288.tif 000002
【実用新案登録請求の範囲】
【請求項１】
固定端と結合端を有し、該結合端の外側に駆動部が設けられると共に、内部中央に固定部材を有する取付溝が形成されることを特徴とする手工具又は動力工具の伝動軸。
【請求項２】
前記駆動部と取付溝は多辺形であると共に、前記固定部材は取付溝の奥に設けられる磁性体であり、前記伝動軸の結合端と駆動部との間にＣ形リングが設けられ、前記固定端に外側へ延出しながら伝動軸と垂直するロッド状の位置決め部が設けられることを特徴とする請求項１に記載の手工具又は動力工具の伝動軸。
【請求項３】
前記駆動部と取付溝は多辺形であり、前記固定部材は取付溝の奥に設けられる磁性体であり、前記伝動軸の結合端と駆動部との間にＣ形リングが設けられ、前記固定端の外側にチャックが設けられると共に、中央に内壁に凹部を有する取付溝が形成されることを特徴とする請求項１に記載の手工具又は動力工具の伝動軸。
【考案の詳細な説明】
【技術分野】
【０００１】
本考案は、特に構造が簡単な手工具又は動力工具の伝動軸に関するものである。
【背景技術】
【０００２】
図７に示すように従来の動力工具の伝動軸（４０）は、実芯の伝動軸（４０）の外側にソケット（４１）が設けられることにより、ナットやボルト等の部材を着脱する。又、図８に示す従来の手工具の伝動軸（５０）は、中空の伝動軸（５０）にビット（５１）が挿設されることにより、ねじなどの部材を着脱する。しかし、前記二種類の伝動軸は夫々ソケット又はビットしか設置できなく、同一の伝動軸にソケット又はビットを設置することができない。
【０００３】
前記伝動軸の問題を解決するため、台湾実用新案公告第３４１８９８号が提出された。その構造は、図９に示すように、伝動軸（６０）の結合端（６１）にビットの取付溝（６３）を有する延長部材（６２）が設けられると共に、他端の外側にソケットの結合用多辺形構造が形成され、該延長部材（６２）に固定リング（６４）が設けられることにより、ビット又はソケットと結合することができる。
【考案の開示】
【考案が解決しようとする課題】
【０００４】
しかしながら、前記の伝動軸には以下に示すような欠点を有する。
延長部材（６２）を設けることにより、伝動軸の全体長さが伸びることになるので、使用上、非常に不便である。
延長部材（６２）に固定リング（６４）を設けるために、延長部材（６２）の肉厚を薄くする必要があるので、使用中に、延長部材（６２）が破損する恐れがある。
固定用の固定リング（６４）を製造しなければならないので、製造コストが増大してしまう。
【０００５】
そこで、案出されたのが本考案であって、構造が簡単な手工具又は動力工具の伝動軸を提供することを目的としている。
【課題を解決するための手段】
【０００６】
本願の請求項１の考案は、固定端と結合端を有し、該結合端の外側に駆動部が設けられると共に、内部中央に固定部材を有する取付溝が形成されることを特徴とする手工具又は動力工具の伝動軸及び、
本願の請求項２の考案は、前記駆動部と取付溝は多辺形であると共に、前記固定部材は取付溝の奥に設けられる磁性体であり、前記伝動軸の結合端と駆動部との間にＣ形リングが設けられ、前記固定端に外側へ延出しながら伝動軸と垂直するロッド状の位置決め部が設けられることを特徴とする請求項１に記載の手工具又は動力工具の伝動軸及び、
本願の請求項３の考案は、前記駆動部と取付溝は多辺形であり、前記固定部材は取付溝の奥に設けられる磁性体であり、前記伝動軸の結合端と駆動部との間にＣ形リングが設けられ、前記固定端の外側にチャックが設けられると共に、中央に内壁に凹部を有する取付溝が形成されることを特徴とする請求項１に記載の手工具又は動力工具の伝動軸、を提供する。
【考案の効果】
【０００７】
本考案は上記の課題を解決するものであり、伝動軸の外側にソケットを設けるための駆動部が設けられると共に、中央にビットを設けるための取付溝が形成されることにより、同一の駆動軸にソケット又はビットを設けることができ、又、該駆動軸は構造が非常に簡単であるので、使用上、非常に便利である。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係る動力工具の伝動軸の使用状態を示す斜視図であり、図２は本考案に係る動力工具の伝動軸の使用状態を示す部分断面図であり、図３は本考案に係る動力工具の伝動軸とビットとの結合状態を示す部分断面図であり、図４は本考案に係る動力工具の伝動軸と他のビットとの結合状態を示す部分断面図であり、図５は本考案に係る手工具の伝動軸の使用状態を示す部分断面図であり、図６は本考案に係る手工具の伝動軸の使用状態を示す部分分解断面図である。
【００１０】
本考案に係る手工具又は動力工具の伝動軸は、工具の本体に設けられ、該本体の一端に伝動軸を設置するための作動部が設けられることにより、本考案の伝動軸にソケット又はビットを設けることができる。
【００１１】
図１及び図２に示すように、本考案に係わる動力工具の伝動軸（１２）は、動力工具の本体（１０）の一端における作動部（１１）に設けられる。
【００１２】
前記伝動軸（１２）は固定端（１２１）と結合端（１２２）を有し、該固定端（１２１）に伝動軸（１２）を作動部（１１）に固設するための位置決め部材が設けられ、該位置決め部材は固定端（１２１）から外側へ延出すると共に、伝動軸（１２）と垂直するロッド状の位置決め部（１２３）である。前記伝動軸（１２）の外側にソケット（３０）を設けるため多辺形（例えば四辺形）の駆動部（１２４）が設けられる。又、伝動軸（１２）の結合端（１２２）と駆動部（１２４）との間にソケット（３０）と駆動部（１２４）との係脱防止用のＣ形リング（１２６）が設けられる。
【００１３】
又、図３及び図４に示すように、前記伝動軸（１２）の結合端（１２２）にビット（３１）を設置するため多辺形の取付溝（１２５）が形成される。該取付溝（１２５）の壁にビット（３１）を固定するため固定ブロック、磁性体（１２７）などの固定部材が設けられる。本実施例において、該固定部材は金属製のビット（３１）を吸着する磁性体（１２７）である。又、該磁性体（１２７）を取付溝（１２５）の奥に設置するほうが良い。
【００１４】
図５に示すように、前記伝動軸（１２）の固定端（１２１）の外側にチャック（１２１ａ）が設けられ、該チャック（１２１ａ）とチャックドライバー（２０）との組み合せることにより、該伝動軸（１２）を駆動する。
【００１５】
又、図６に示すように、使用状態に対して二つの伝動軸（１２）を互いに組み合せることができ、その一つの伝動軸（１２）の固定端（１２１）に取付溝（１２１ｂ）が形成され、該取付溝（１２１ｂ）の内壁にＣ形リング（１２６）を位置決める凹部（１２１ｃ）が形成されることにより、伝動軸（１２）における固定端（１２１）の取付溝（１２１ｂ）と他の伝動軸（１２）における結合端（１２２）との連結を行うことができる。
【産業上の利用可能性】
【００１６】
本考案は上記の構成を有するので、伝動軸の外側にソケットを設けるための駆動部が設けられると共に、中央にビットを設けるための取付溝が形成されることにより、同一の駆動軸にソケット又はビットを設けることができ、又、該駆動軸は構造が非常に簡単であるので、使用上、非常に便利である。
【図面の簡単な説明】
【００１７】
【図１】本考案に係る動力工具の伝動軸の使用状態を示す斜視図である。
【図２】本考案に係る動力工具の伝動軸の使用状態を示す部分断面図である。
【図３】本考案に係る動力工具の伝動軸とビットとの結合状態を示す部分断面図である。
【図４】本考案に係る動力工具の伝動軸と他のビットとの結合状態を示す部分断面図である。
【図５】本考案に係る手工具の伝動軸の使用状態を示す部分断面図である。
【図６】本考案に係る手工具の伝動軸の使用状態を示す部分分解断面図である。
【図７】従来の動力工具の伝動軸の使用状態を示す分解斜視図である。
【図８】従来の手工具の伝動軸の使用状態を示す分解斜視図である。
【図９】従来の動力工具の伝動軸の他の使用状態を示す分解斜視図である。
【符号の説明】
【００１８】
１０        本体
１１        作動部
１２        伝動軸
１２１      固定端
１２１ａ    チャック
１２１ｂ    取付溝
１２１ｃ    凹部
１２２      結合端
１２３      位置決め部
１２４      駆動部
１２５      取付溝
１２６      Ｃ形リング
１２７      磁性体
２０        チャックドライバー
３０        ソケット
３１        ビット
４０        伝動軸
４１        ソケット
５０        伝動軸
５１        ビット
６０        伝動軸
６１        結合端
６２        延長部材
６３        取付溝
６４        固定リング
【図１】
0003109288.tif 000003
【図２】
0003109288.tif 000004
【図３】
0003109288.tif 000005
【図４】
0003109288.tif 000006
【図５】
0003109288.tif 000007
【図６】
0003109288.tif 000008
【図７】
0003109288.tif 000009
【図８】
0003109288.tif 000010
【図９】
0003109288.tif 000011